【事件の表示】
　特願２０１５−５３８０２３「無線通信システムにおいて下りリンク制御信号を受信又は送信するための方法及びそのための装置」拒絶査定不服審判事件〔平成２６年　４月２４日国際公開、ＷＯ２０１４／０６２０１１、平成２８年　１月１４日国内公表、特表２０１６−５００９６３、請求項の数（１６）〕について、次のとおり審決する。
【結　論】
　原査定を取り消す。
　本願の発明は、特許すべきものとする。
【理　由】
第１　手続の経緯
　本願は、２０１３年（平成２５年）１０月１７日（パリ条約による優先権主張外国庁受理２０１２年１０月１８日、米国、２０１２年１１月　７日、米国、２０１２年１１月１５日、米国）を国際出願日とする出願であって、その手続きの経緯は以下のとおりである。
　平成２７年　４月１７日　　：　手続補正書の提出
　平成２８年　１月１２日付け：　拒絶理由の通知
　平成２８年　４月１８日　　：　意見書及び手続補正書の提出
　平成２８年　６月　８日付け：　拒絶査定（以下、「原査定」という。）
　平成２８年１０月１３日　　：　拒絶査定不服審判の請求
第２　原査定の概要
　原査定の概要は以下のとおりである。
　本願の請求項１−１６に係る発明は、以下の引用文献１−３に記載された発明に基づいて、その発明の属する技術の分野における通常の知識を有する者（以下、「当業者」という。）が容易に発明をすることができたものであるから、特許法第２９条第２項の規定により特許を受けることができない。
引用文献等一覧
１．国際公開第２０１２／１０９５４２号
２．Samsung、EPDCCH Starting Subframe Symbol、3GPP TSG-RAN WG1#70bis、R1-124379、2012.10.12
３．Alcatel-Lucent、Updated RRC parameters for EPDCCH、3GPP TSG-RAN WG1#70bis、R1-124671、2012.10.12
第３　本願発明
　本願の請求項１−１６に係る発明（以下、それぞれ「本願発明１」−「本願発明１６」という。）は、平成２８年　４月１８日付けで補正された特許請求の範囲の請求項１−１６に記載された、以下のとおりの発明である。
「　　【請求項１】
　無線通信システムでユーザ機器が下りリンク信号を受信するための方法において、
　上位層シグナリングを介して半持続的スケジューリング（Ｓｅｍｉ　Ｐｅｒｓｉｓｔｅｎｔ　Ｓｃｈｅｄｕｌｉｎｇ：ＳＰＳ）−物理ＤＬ共有チャネル（ＰＤＳＣＨ）に対する複数のパラメータ集合を受信するステップと、
　前記ＳＰＳ−ＰＤＳＣＨを構成する下りリンク制御情報（ＤＣＩ）を受信するステップと、
　前記複数のパラメータ集合の内の一つのパラメータ集合を用いて前記ＳＰＳ−ＰＤＳＣＨを復号するステップと、を含み、
　復号に用いる前記パラメータ集合は、復号に用いるパラメータ集合を示す指示子が前記下りリンク制御情報に含まれるか否かに基づいて決定される、
下りリンク信号受信方法。
　　【請求項２】
　前記複数のパラメータ集合のそれぞれは、下りリンクデータチャネルの開始シンボル位置に関する情報を含む、請求項１に記載の下りリンク信号受信方法。
　　【請求項３】
　前記複数のパラメータ集合のそれぞれは、特定参照信号と関連したＲＥ（ｒｅｓｏｕｒｃｅ　ｅｌｅｍｅｎｔ）マッピングパターン情報を含む、請求項１に記載の下りリンク信号受信方法。
　　【請求項４】
　前記ＳＰＳ−ＰＤＳＣＨがＭＢＳＦＮ（Ｍｕｌｔｉｍｅｄｉａ　Ｂｒｏａｄｃａｓｔ　ｍｕｌｔｉｃａｓｔ　ｓｅｒｖｉｃｅ　Ｓｉｎｇｌｅ　Ｆｒｅｑｕｅｎｃｙ　Ｎｅｔｗｏｒｋ）サブフレームで受信される場合、
　前記下りリンクデータチャネルの開始シンボル位置は、前記ＭＢＳＦＮサブフレームの下りリンクデータチャネルの開始シンボル位置に制約される、請求項１に記載の下りリンク信号受信方法。
　　【請求項５】
　前記ユーザ機器は送信モード１０と設定された、請求項１に記載の下りリンク信号受信方法。
　　【請求項６】
　前記ユーザ機器は、少なくとも２つのｅＮＢから下りリンク信号を受信するように設定される、請求項１に記載の下りリンク信号受信方法。
　　【請求項７】
　半持続的スケジューリングを構成する新しいＤＣＩが受信されるまで、前記パラメータ集合を用いて、前記下りリンクデータチャネルを復号するステップをさらに含む、請求項１に記載の下りリンク信号受信方法。
　　【請求項８】
　無線通信システムにおいて下りリンク制御信号を受信するように構成されたユーザ機器であって、
　無線周波数（ｒａｄｉｏ　ｆｒｅｑｕｅｎｃｙ：ＲＦ）ユニットと、
　前記ＲＦユニットを制御するように構成されたプロセッサと、
を備え、
　前記プロセッサは、上位層シグナリングを介して半持続的スケジューリング（Ｓｅｍｉ　Ｐｅｒｓｉｓｔｅｎｔ　Ｓｃｈｅｄｕｌｉｎｇ：ＳＰＳ）−物理ＤＬ共有チャネル（ＰＤＳＣＨ）のための複数のパラメータ集合を受信し、前記ＳＰＳ−ＰＤＳＣＨを構成する下りリンク制御情報（ＤＣＩ）を受信し、前記複数のパラメータ集合の中の１つのパラメータ集合を用いて前記ＳＰＳ−ＰＤＳＣＨを復号するように構成され、
　復号に用いる前記パラメータ集合は、復号に用いるパラメータ集合を示す指示子が前記下りリンク制御情報に含まれるか否かに基づいて決定される、
ユーザ機器。
　　【請求項９】
　前記複数のパラメータ集合のそれぞれは、下りリンクデータチャネルの開始シンボル位置に関する情報を含む、請求項８に記載のユーザ機器。
　　【請求項１０】
　前記複数のパラメータ集合のそれぞれは、特定参照信号と関連したＲＥ（ｒｅｓｏｕｒｃｅ　ｅｌｅｍｅｎｔ）マッピングパターン情報を含む、請求項８に記載のユーザ機器。
　　【請求項１１】
　前記ＳＰＳ−ＰＤＳＣＨがＭＢＳＦＮ（Ｍｕｌｔｉｍｅｄｉａ　Ｂｒｏａｄｃａｓｔ　ｍｕｌｔｉｃａｓｔ　ｓｅｒｖｉｃｅ　Ｓｉｎｇｌｅ　Ｆｒｅｑｕｅｎｃｙ　Ｎｅｔｗｏｒｋ）サブフレームで受信される場合、
　前記下りリンクデータチャネルの開始シンボル位置は、前記ＭＢＳＦＮサブフレームの下りリンクデータチャネルの開始シンボル位置に制約される、請求項８に記載のユーザ機器。
　　【請求項１２】
　前記ユーザ機器は送信モード１０と設定された、請求項８に記載のユーザ機器。
　　【請求項１３】
　前記ユーザ機器は、少なくとも２つのｅＮＢから下りリンク信号を受信するように設定された、請求項８に記載のユーザ機器。
　　【請求項１４】
　前記プロセッサは、
　半持続的スケジューリングを構成する新しいＤＣＩが受信されるまで、前記パラメータ集合を用いて前記下りリンクデータチャネルを復号するように構成された、請求項８に記載のユーザ機器。
　　【請求項１５】
　半持続的スケジューリングを構成する前記ＤＣＩが、復号に用いられる前記パラメータ集合を示す指示子を含む場合に、前記指示子に指示される前記パラメータ集合を用いて前記ＳＰＳ−ＰＤＳＣＨを復号するステップを更に含む、請求項１に記載の下りリンク信号受信方法。
　　【請求項１６】
　前記プロセッサは、
　半持続的スケジューリングを構成する前記ＤＣＩが、復号に用いられる前記パラメータ集合を示す指示子を含む場合に、前記指示子に指示される前記パラメータ集合を用いて前記ＳＰＳ−ＰＤＳＣＨを復号するようにさらに構成された、請求項８に記載のユーザ機器。」
第４　引用文献
１．引用文献１
　原査定に引用された国際公開第２０１２／１０９５４２号（以下、「引用文献１」という。）には、図面とともに、以下の事項が記載されている。（下線は当審が付与。）
（１）「[0022] As shown in FIG. 1A, 
the communications system 100 may include wireless transmit/receive units (WTRUs) 102a, 102b, 102c, 102d, a radio access network (RAN) 104
the WTRUs 102a, 102b, 102c, 102d may be configured to transmit and/or receive wireless signals
（当審訳：［００２２］図１Ａに示されているように、
通信システム１００は、無線送信／受信ユニット（ＷＴＲＵ）１０２ａ、１０２ｂ、１０２ｃ、１０２ｄ、無線アクセスネットワーク（ＲＡＮ）１０４
を含むことができる
ＷＴＲＵ　１０２ａ、１０２ｂ、１０２ｃ、１０２ｄは、無線信号を送信し、及び／又は受信するように構成されることができ
（２）「[0069] In an example, a subframe may be defined such that an enhance control channel is included in areas of the subframe typically utilized for PDSCH data. FIG. 4 illustrates subframes with an example enhanced control channel. Referring to FIG. 4, the performance improvement of the PDCCH channel may be accomplished by sending some or all of the control channel information to a WTRU using resource elements that are traditionally associated with the PDSCH region. As such, by relying on the DM-RSs, 
the receiving WTRU may demodulate and decode the PDSCH and or enhance control channel information
（当審訳：［００６９］一例では、拡張された制御チャネルが、通常ＰＤＳＣＨデータに利用されるサブフレームの領域内に含まれるように、サブフレームを定義することができる。図４は、拡張された制御チャネルの一例を有するサブフレームを示す。図４を参照すると、ＰＤＣＣＨチャネルの性能改善は、伝統的にＰＤＳＣＨ領域に関連するリソース要素を使用してＷＴＲＵに制御チャネル情報の一部又はすべてを送信することによって、達成することができる。したがって、ＤＭ−ＲＳに頼ることによって、
受信するＷＴＲＵは、
ＰＤＳＣＨ及び／又は拡張された制御チャネル情報を復調し、復号することができる。
（３）「[0072] The information carried in the enhanced control channel may include any information that may be carried with the legacy PDCCH channel. For example, 
the E-PDCCH may be used to send
semi- persistent scheduling (SPS) activations
The information described herein may be structured according to existing DCI formats used in the legacy PDCCH, or according to newly defined DCI formats.
（当審訳：
　［００７２］拡張された制御チャネル内で搬送される情報は、レガシＰＤＣＣＨチャネルを用いて搬送できるすべての情報を含むことができる。たとえば、
Ｅ−ＰＤＣＣＨを使用して、
半持続的スケジューリング（ＳＰＳ）アクティブ化
を送信することができる。
本明細書で説明される情報は、レガシＰＤＣＣＨ内で使用される既存のＤＣＩフォーマットに従って又は新たに定義されるＤＣＩフォーマットに従って、構造化することができる。
（４）「 [0205] 
The WTRU may obtain the value of at least one E-PDCCH parameter from decoding of PCFICH and/or may obtain the starting symbol of PDSCH from higher layers.
（当審訳：［０２０５］
ＷＴＲＵは、ＰＣＦＩＣＨの復号から少なくとも１つのＥ−ＰＤＣＣＨパラメータの値を入手することができ、及び／又はより上位の層からＰＤＳＣＨの開始シンボルを入手することができる。
（５）「[0229] In an example, 
WTRU may utilize the E-PDCCH to facilitate the reception of the PDSCH. To decode the PDSCH, the WTRU may obtain a set of transmission characteristics for the PDSCH.
the set of characteristics that may be determined in order to properly decode and receive the PDSCH may be location of the PDSCH candidate/region in the resource grid (e.g., frequency allocation and related information)
（当審訳：［０２２９］一例では、
ＷＴＲＵは、ＰＤＳＣＨの受信を容易にするのにＥ−ＰＤＣＣＨを利用することができる。ＰＤＳＣＨを復号するために、ＷＴＲＵは、ＰＤＳＣＨの送信特性のセットを入手することができる。
ＰＤＳＣＨを正しく復号し、受信するために判定することのできる特性のセットを、リソースグリッド内のＰＤＳＣＨ候補／領域の位置（例えば、周波数割当及び関連情報）
とすることができる。
（６）「
」
（当審訳：図４
）
２．引用発明１
　上記１．から、引用文献１には、以下の発明（以下、「引用発明１」という。）が記載されていると認められる。
「無線送信／受信ユニット（ＷＴＲＵ）のための方法であって、
　通信システムは、ＷＴＲＵ及び無線アクセスネットワーク（ＲＡＮ）を含むことができ、
　ＷＴＲＵは、無線信号を受信するように構成されることができ、
　受信するＷＴＲＵは、ＰＤＳＣＨ及び／又は拡張された制御チャネル（Ｅ−ＰＤＣＣＨ）情報を復調し、復号することができ、
　ＷＴＲＵは、Ｅ−ＰＤＣＣＨを使用して、半持続的スケジューリング（ＳＰＳ）アクティブ化を受信することができ、
　制御情報は、レガシＰＤＣＣＨ内で使用される既存のＤＣＩフォーマットに従って又は新たに定義されるＤＣＩフォーマットに従って、構造化することができ、
　ＷＴＲＵは、ＰＣＦＩＣＨの復号から少なくとも１つのＥ−ＰＤＣＣＨパラメータの値を入手することができ、より上位の層からＰＤＳＣＨの開始シンボルを入手することができ、
　ＷＴＲＵは、ＰＤＳＣＨの受信を容易にするのにＥ−ＰＤＣＣＨを利用することができ、ＰＤＳＣＨを復号するために、ＷＴＲＵは、ＰＤＳＣＨの送信特性のセットを入手することができ、
　ＰＤＳＣＨを正しく復号し、受信するために判定することのできる特性のセットを、リソースグリッド内のＰＤＳＣＨ候補／領域の位置（周波数割当及び関連情報）とすることができる、
　方法。」
３．引用文献２
　原査定に引用されたSamsung、EPDCCH Starting Subframe Symbol、3GPP TSG-RAN WG1#70bis、R1-124379、2012.10.12（以下、「引用文献２」という。）には、以下の事項が記載されている。（下線は当審が付与。）
「2  EPDCCH Starting Symbol
In general, a separate configuration of the EPDCCH starting subframe symbol from the PDSCH starting subframe symbol would be justified in there were any cases where EPDCCH and PDSCH needed to have different starting subframe symbols for a UE. Otherwise, if EPDCCH and PDSCH for a UE always have the same starting subframe symbol, a single configuration either of the PDSCH starting subframe symbol or of the EPDCCH starting subframe symbol would suffice. No case requiring different starting subframe symbols for the EPDCCH and the PDSCH has been identified. 
Rel-10 already allows a network to configure a UE whether to follow the detected PCFICH indication (CFI) to derive the PDSCH starting subframe symbol or whether the PCFICH is overridden by UE-specific RRC configuration. The latter is applicable only in conjunction with cross-carrier scheduling with the main use-case being support of ICIC where one cell is a macro-cell and the other a pico-cell and some pico-cell UEs cannot reliably detect the PCFICH from the pico-cell (the PDSCH starting subframe symbol for the pico-cell UEs is then configured by RRC). 
In Rel-11, EPDCCH may also be used for ICIC support with single-cell operation in order to enable scheduling of UEs in subframes where PDCCH cannot be reliably detected (e.g. in non-ABS for cell range expansion UEs). Therefore, the issue is whether in such cases to configure the EPDCCH starting subframe symbol instead of the PDSCH one. Given that EPDCCH and the respective scheduled PDSCH should have the same starting subframe symbol, the two options are equivalent. It is noted that PDCCH may also be used in such cases if CRS interference cancellation is a mandatory UE feature in Rel-11.
Configuring the PDSCH starting subframe symbol provides for consistent specifications with the legacy ones and for broader network operational support. In particular, configuring the PDSCH starting subframe symbol, regardless of CA or single-cell operation, provides a uniform specification in all cases based on the legacy one and the same UE behavior regardless of release or of PDCCH/EPDCCH monitoring. Moreover, configuring the PDSCH starting subframe symbol is preferable in the following two use-cases
a)EPDCCH use instead of cross-carrier scheduling in Rel-11 (no need to support configuration of both PDSCH and EPDCCH starting subframe symbol - e.g. depending on whether a UE behaves as a Rel-10 one or a Rel-11 one)
b)SPS PDSCH transmissions in non-ABS (no additional configuration of PDSCH starting subframe symbol is needed if EPDCCH starting subframe symbol was instead configured).
For DL CoMP operation, it is unclear at the moment whether the PDSCH starting subframe symbol will be dynamically indicated by the DCI format for TM10 or it will be RRC configured. In the former case, it seems necessary to allow for separate configuration of the EPDCCH starting subframe symbol together with configuration of TM10. In the latter case and in all other scenarios, RRC configuration of the PDSCH starting subframe symbol is adequate.
Proposal: A UE determines the PDSCH starting subframe symbol either by decoding the PCFICH or by RRC signaling which overrides the PCFICH in a configured set of subframes. If there is EPDCCH, the EPDCCH starting subframe symbol is the same as the PDSCH starting subframe symbol in the same serving cell. For TM10, it is FFS whether RRC signaling for the EPDCCH starting subframe symbol is also required. 
A separate issue raised in the email reflector discussions concerns the case that a PDSCH is scheduled by a PDCCH in the CSS. In this case, Rel-10 behavior is followed and no further specifications are needed.」
（当審訳：２　ＥＰＤＣＣＨ開始シンボル
　一般に、ＥＰＤＣＣＨ開始サブフレームシンボルの、ＰＤＳＣＨ開始サブフレームシンボルとは別の設定は、ＥＰＤＣＣＨとＰＤＳＣＨとがＵＥにとって異なる開始サブフレームシンボルを持つ必要がある場合に正当化される。そうでなければ、ＵＥにとってＥＰＤＣＣＨとＰＤＳＣＨとは常に同じ開始サブフレームシンボルを持ち、ＰＤＳＣＨ開始サブフレームシンボル又はＥＰＤＣＣＨ開始サブフレームシンボルのいずれか１つの設定のみで足りる。ＥＰＤＣＣＨとＰＤＳＣＨとで異なる開始サブフレームシンボルが必要となる場合は、特定されていない。
　Ｒｅｌ−１０では、ＰＤＳＣＨ開始サブフレームシンボルを得るために、検出されたＰＣＦＩＣＨ指示（ＣＦＩ）に従うか、又は、ＵＥ固有のＲＲＣ設定によりＰＣＦＩＣＨがオーバーライドされるかを、ネットワークがＵＥに設定可能としている。後者は、１つのセルがマクロセルであり、他のセルがピコセルであり、いくつかのピコセル内のＵＥが、ピコセルからＰＣＦＩＣＨを信頼可能に検出できない場合のＩＣＩＣをサポートする主要な使用例でのクロスキャリアスケジューリングの関連でのみ適用可能である（ピコセル内のＵＥのためのＰＤＳＣＨ開始サブフレームシンボルはＲＲＣによって設定される）。
　Ｒｅｌ−１１では、ＰＤＣＣＨが信頼可能に検出できないサブフレームにおいてＵＥのスケジューリングを可能とするために、ＥＰＤＣＣＨを単一セルオペレーションでのＩＣＩＣサポートのためにも用いることができる（例えば、セル範囲拡張ＵＥのための非ＡＢＳにおいて）。したがって、問題はそのような場合において、ＰＤＳＣＨのそれの代わりにＥＰＤＣＣＨの開始サブフレームシンボルを設定するかどうかである。ＥＰＤＣＣＨと、対応するスケジュールされたＰＤＳＣＨは同じ開始サブフレームシンボルを有する必要があると仮定すると、２つのオプションは同等である。ＣＲＳ干渉除去がＲｅｌ−１１においてＵＥの必須機能である場合、ＰＤＣＣＨがそのような場合に用いられ得ることに注意が必要である。
　ＰＤＳＣＨ開始サブフレームシンボルの設定は既存の規格との整合性と、より広範なネットワークオペレーションサポートのために提供される。特に、ＰＤＳＣＨ開始サブフレームシンボルの設定は、ＣＡや単一セルオペレーションとは関係なく、既存の規格やリリースやＰＤＣＣＨ／ＥＰＤＣＣＨモニタリングとは関係ない同じＵＥ動作に基づいて、全ての場合において均一な規格を提供する。さらに、ＰＤＳＣＨ開始サブフレームシンボルの設定は、以下の２つの場合において好ましい。
ａ）Ｒｅｌ−１１におけるクロスキャリアスケジューリングに代えたＥＰＤＣＣＨの使用（ＰＤＳＣＨとＥＰＤＣＣＨの双方の開始サブフレームシンボルの設定をサポートすることは必要ではない−例えば、ＵＥがＲｅｌ−１０またはＲｅｌ−１１のいずれのものであるかに依存する）
ｂ）非ＡＢＳにおけるＳＰＳ　ＰＤＳＣＨの伝送（ＥＰＤＣＣＨ開始サブフレームシンボルが代わりに設定されていれば、ＰＤＳＣＨ開始サブフレームシンボルにの追加的な設定は不要。）
　
ＤＬ　ＣｏＭＰオペレーションについて、現時点ではＰＤＳＣＨ開始サブフレームシンボルがＴＭ１０のＤＣＩフォーマットで動的に指示されるか、あるいは、ＲＲＣによって設定されるかは定かではない。前者の場合において、ＴＭ１０の設定と併せて、ＥＰＤＣＣＨ開始サブフレームシンボルを別に設定することを許容する必要があると思われる。後者の場合とその他のシナリオにおいて、ＰＤＳＣＨ開始サブフレームシンボルのＲＲＣによる設定が適当である。
提案：ＵＥは、ＰＤＳＣＨ開始サブフレームシンボルを、ＰＣＦＩＣＨを復号するか、又は、設定されたサブフレームのセットにおけるＰＣＦＩＣＨを上書きするＲＲＣシグナリングによって決定する。ＥＰＤＣＣＨが存在する場合、ＥＰＤＣＣＨ開始サブフレームシンボルは、同じサービングセルのＰＤＳＣＨ開始サブフレームシンボルと同じである。ＴＭ１０においては、ＥＰＤＣＣＨ開始サブフレームシンボルのＲＲＣシグナリングが必要かどうかは、今後の検討事項である。
電子メールを反映した議論において提起された別の問題は、ＰＤＳＣＨがＣＳＳのＰＤＣＣＨによってスケジュールされる場合に関する。この場合、Ｒｅｌ−１０の動作が適用され、更なる規定は不要である。）
４．引用文献３
　原査定に引用されたAlcatel-Lucent、Updated RRC parameters for EPDCCH、3GPP TSG-RAN WG1#70bis、R1-124671、2012.10.12（以下、「引用文献３」という。）には、以下の事項が記載されている。（下線は当審が付与。）
「2.3  EPDCCH starting symbol configuration
If the UE is not configured in TM10, per-CC higher layer signalling can be transmitted to indicate the OFDM starting symbol for any EPDCCH on that cell, and PDSCH on that cell scheduled by EPDCCH. The value range is {1, 2, 3, 4}, where the values 1, 2, and 3 are applicable when the bandwidth of the cell is greater than 10 resource blocks, and the values 2, 3, 4 are applicable when the bandwidth of the cell is less than or equal to 10 resource blocks.
The following were agreed in RAN1:
・If this signalling is not provided, 
the starting OFDM symbol of EPDCCH and PDSCH scheduled by EPDCCH is derived from PCFICH
・A single value of OFDM starting symbol is applicable to both EPDCCH sets (if two sets are configured)
The EPDCCH starting symbol configuration when the UE is configured in TM10 is FFS in RAN1.
It is up to RAN2 to determine the details of the higher layer signaling.」
（当審訳：２．３　ＥＰＤＣＣＨ開始シンボル設定
　もし、ＵＥがＴＭ１０に設定されていなければ、ＣＣ毎の上位層シグナリングが、セル内の任意のＥＰＤＣＣＨのためのＯＦＤＭ開始シンボルを示すために送信され、セル内のＰＤＳＣＨはＥＰＤＣＣＨによってスケジュールされる。値の範囲は｛１，２，３，４｝であり、値の１，２及び３はセルの帯域幅が１０リソースブロックより大きい場合に用いることができ、値の２，３，４は、セルの帯域幅が１０リソースブロック以下の場合に用いることができる。
　以下がＲＡＮ１において合意された：
・このシグナリングが提供されなければ、
ＥＰＤＣＣＨ及びＥＰＤＣＣＨによってスケジュールされるＰＤＳＣＨの開始ＯＦＤＭシンボルは、ＰＣＦＩＣＨから得られる。
・ＯＦＤＭ開始シンボルの値は、ＥＰＤＣＣＨセットの双方に適用可能である（２つのセットが設定された場合）
　ＵＥがＴＭ１０に設定された場合の、ＥＰＤＣＣＨ開始シンボル設定はＲＡＮ１で更に検討される。
　上位層シグナリングの詳細は、ＲＡＮ２によって決定される。）
第５　対比・判断
１．本願発明１について
（１）対比
　本願発明１と引用発明１とを対比する。
ア．引用発明１における「通信システム」及び「ＷＴＲＵ」は、それぞれ、本願発明１における「無線通信システム」及び「ユーザ機器」に相当する。
イ．一般に、無線通信システムにおいてユーザ機器が受信する信号を「下りリンク」信号と称することは技術常識であるから、引用発明１において「ＷＴＲＵ」が受信する「無線信号」は、本願発明１における「下りリンク信号」に相当する。
ウ．引用発明１において「より上位の層」から「入手する」ことは、本願発明１における「上位層シグナリング」を介して「受信する」ことに相当する。
エ．引用発明１における「半持続的スケジューリング（ＳＰＳ）アクティブ化」は、Ｅ−ＰＤＣＣＨを使用して受信する制御情報であるから、本願発明１における「ＳＰＳ−ＰＤＳＣＨを構成する下りリンク制御情報（ＤＣＩ）」に相当する。
オ．引用発明１における「ＰＤＳＣＨの開始シンボル」が、ＰＤＳＣＨの復号に必要な情報であることは技術常識であるから、引用発明１におけるＷＴＲＵは、「ＰＤＳＣＨの開始シンボル」を用いてＰＤＳＣＨを復号するものであるといえる。
カ．引用発明１における「ＰＤＳＣＨの開始シンボル」と、本願発明１における「パラメータ」とは、上位層シグナリングを介して受信され、ＰＤＳＣＨの復号に用いられる点で共通する。
キ．上記ア．からカ．より、本願発明１と引用発明１とは、以下の点で、一致、相違する。
［一致点］
　無線通信システムでユーザ機器が下りリンク信号を受信するための方法において、
　上位層シグナリングを介して、物理ＤＬ共有チャネル（ＰＤＳＣＨ）に対するパラメータを受信するステップと、
　半持続的スケジューリング（Ｓｅｍｉ　Ｐｅｒｓｉｓｔｅｎｔ　Ｓｃｈｅｄｕｌｉｎｇ：ＳＰＳ）−ＰＤＳＣＨを構成する下りリンク制御情報（ＤＣＩ）を受信するステップと、
　前記パラメータを用いて前記ＰＤＳＣＨを復号するステップと、を含む、
下りリンク信号受信方法。
［相違点］
ア．本願発明１においては、上位層シグナリングを介して受信する、ＰＤＳＣＨに対するパラメータが、「複数のパラメータ集合」であり、復号に用いるパラメータ集合を示す「指示子」が下りリンク制御情報に含まれるか否かに基づいて決定された、前記複数のパラメータ集合の内の１つのパラメータ集合を用いてＰＤＳＣＨを復号するのに対し、引用発明１においては、「ＰＤＳＣＨの開始シンボル」という単一のパラメータを受信し、これを用いてＰＤＳＣＨを復号する点。
イ．本願発明１においては、上位層シグナリングを介して受信する、ＰＤＳＣＨに対するパラメータが、「半持続的スケジューリング（Ｓｅｍｉ　Ｐｅｒｓｉｓｔｅｎｔ　Ｓｃｈｅｄｕｌｉｎｇ：ＳＰＳ）」−ＰＤＳＣＨに対するものであるのに対し、引用発明１においては、そのような特定がされていない点。
（２）相違点についての判断
　まず、上記相違点ア．について検討する。
　上記相違点ア．に係る本願発明１の構成は、上記引用文献１−３には記載されておらず、本願優先日前において周知技術であるともいえない。
　特に、引用発明１には、「ＰＤＳＣＨの送信特性のセット」を入手することが記載されているが、当該セットを上位層シグナリングを介して受信することも、複数のセットを受信することも記載されていない。
　また、原査定に引用された引用文献２には、ＰＤＳＣＨ開始サブフレームシンボル（本願発明１の「パラメータ」に対応）が、ＤＣＩフォーマット（本願発明１の「下りリンク制御情報」に対応）又はＲＲＣ（本願発明１の「上位層シグナリング」に対応）によって設定されることは記載されているが、ＰＤＳＣＨを復号するために複数のパラメータ集合の内の１つのパラメータ集合を用いることは記載されていない。
　さらに、引用文献３には、ＰＤＳＣＨの開始ＯＦＤＭシンボル（本願発明１の「パラメータ」に対応）がＰＣＦＩＣＨ（本願発明１の「下りリンク制御情報」に対応）から得られることは記載されているが、ＰＤＳＣＨを復号するために複数のパラメータ集合の内の１つのパラメータ集合を用いることはは記載されていない。
　したがって、他の相違点について判断するまでもなく、本願発明１は、引用文献１−３に記載された発明に基づいて、当業者が容易に発明をすることができたものであるとはいえない。
２．本願発明８について
　本願発明８も、本願発明１と同じく、上記「第５　対比・判断」の１．（１）で示した相違点に係る構成を含むものであるから、上記（２）で示したものと同じ理由により、当業者であっても、引用文献１−３に記載された発明に基づいて、容易に発明をすることができたものであるとはいえない。
３．本願発明２−７、９−１６について
　本願発明２−７及び１５並びに９−１４及び１６は、それぞれ、本願発明１及び８と同一の構成を含むものであるから、本願発明１及び８に関するものと同じ理由により、引用文献１−３に記載された発明に基づいて、当業者が容易に発明をすることができたものであるとはいえない。
第７　むすび
　以上のとおり、原査定の理由によって、本願を拒絶することはできない。
　また、他に本願を拒絶すべき理由を発見しない。
　よって、結論のとおり審決する。